(57)【要約】      （修正有）【課題】浄水効率に優れ，水桶栓が水桶に結合された状態でも，浄水フィルターの洗浄および交替を容易に実施できる加湿器の水桶栓を提供する。【解決手段】加湿器水桶の注入口に結合され，チェックバルブ１８を支持するボス２０とバルブシート２２との間に流路２４が形成される水桶栓本体１６と；内蔵されるフィルター部材３２の上側には，上記ボスとバルブシートとの間の流路に通じる流路６２が形成され，上記フィルター部材の下側に排水孔４７が形成される中孔型フィルター組立体３０と；を備え，上記中孔型フィルター組立体は，上記水桶栓本体の内側壁１４とボスとの間のドーナツ状空間部２８に形成される加湿器の水桶栓が提供される。【選択図】図４
0003113092.tif 000002
【実用新案登録請求の範囲】
【請求項１】
加湿器水桶の注入口に結合され，チェックバルブを支持するボスとバルブシートとの間に流路が形成される水桶栓本体と；
内蔵されるフィルター部材の上側には，前記ボスとバルブシートとの間の流路に通じる流路が形成され，前記フィルター部材の下側に排水孔が形成される中孔型フィルター組立体と；
を備え，
前記中孔型フィルター組立体は，前記水桶栓本体の内側壁とボスとの間のドーナツ状空間部に形成されることを特徴とする，加湿器の水桶栓。
【請求項２】
前記水桶栓本体のボスの外側には，外部螺旋としての第１結合手段が形成され，前記中孔型フィルター組立体の内側には，内部螺旋としての第２結合手段が形成され，中孔型フィルター組立体が水桶栓本体の外側で結合されることを特徴とする，請求項１に記載の加湿器の水桶栓。
【請求項３】
水桶栓本体のボスと結合される管体と，前記管体より大きい同心円上に形成される側壁と，排水孔を有する低壁と，を含み，フィルター部材が内蔵されるドーナツ状空間部が形成される下部ハウジングと；
前記下部ハウジングの側壁と対応する側壁と，前記下部ハウジングの管体に対応し前記水桶栓本体のボスが貫通する貫通孔と，前記水桶栓本体の流路に通じる流路を有する円筒形嵌合部とを含む上部ハウジングと；
を備えることを特徴とする，加湿器の水桶栓における中孔型フィルター組立体。
【請求項４】
下部ハウジングの側壁上段部には，結合突起としての第３結合手段が形成され，上部ハウジングの側壁下段部には，スロットとしての第４結合手段が形成され，下部ハウジングと上部ハウジングが結合されることを特徴とする，請求項３に記載の加湿器の水桶栓における中孔型フィルター組立体。
【考案の詳細な説明】
【技術分野】
【０００１】
本考案は，浄水フィルターを有する加湿器の水桶栓に関し，より詳細には，浄水フィルターが，水桶栓本体中央部のチェックバルブを支持するボスと，水桶の注入口と結合される水桶栓の側壁との間に形成される空間部に装着され，浄水効率に優れ，水桶栓が水桶に結合された状態でも，浄水フィルターの洗浄および交替を容易に実施できる加湿器の水桶栓，加湿器の水桶栓における中孔型フィルター組立体に関する。
【背景技術】
【０００２】
加湿器においては，供給される水に含まれているミネラルや石灰分が，超音波振動子や電気加熱器などに付着すると，加湿器の性能低下および故障の主要原因となることが知られている。
【０００３】
大韓民国特許公開番号第２００２-００６３０４６号，大韓民国実用新案公開番号第２０００-０００５３６４号などに開示されている加湿器や加湿器用水桶の浄水フィルターは，浄水フィルターが水桶栓の内側に装着されており，水桶を加湿器本体の上においた時，水桶の底側から上側に比較的高く突出され，水桶に含まれた水の水位が低くなるほど濾過時間が短くなって，浄水効率が低下していた。また，浄水フィルターを清掃または交替する時には，栓を水桶から外す必要があり，また，水桶に水を入れる時においても，浄水フィルターの大きさに該当する分の水の量を入れることができなくなり，水の供給周期が短縮するなどの問題点があった。
【考案の開示】
【考案が解決しようとする課題】
【０００４】
本発明は，従来の浄水フィルターが有する上記問題点に鑑みてなされたものであり，本発明の目的は，水桶に入っている水の量の変動によって浄水効率が低下する憂慮を無くし，水桶に栓が結合された状態でも，浄水フィルターだけを清掃または交替することが可能な，浄水フィルターによって水桶の容量を減らす憂慮がない，新規かつ改良された加湿器の水桶栓，加湿器の水桶栓における中孔型フィルター組立体を提供することである。
【課題を解決するための手段】
【０００５】
上記課題を解決するために，本発明のある観点によれば，加湿器水桶の注入口に結合され，チェックバルブを支持するボスとバルブシートとの間に流路が形成される水桶栓本体と；内蔵されるフィルター部材の上側には，上記ボスとバルブシートとの間の流路に通じる流路が形成され，上記フィルター部材の下側に排水孔が形成される中孔型フィルター組立体と；を備え，上記中孔型フィルター組立体は，上記水桶栓本体の内側壁とボスとの間のドーナツ状空間部に形成されることを特徴とする，加湿器の水桶栓が提供される。ここでドーナツ状とは，一部に孔を有した状態をいう。
【０００６】
上記水桶栓本体のボスの外側には，外部螺旋としての第１結合手段が形成され，上記中孔型フィルター組立体の内側には，内部螺旋としての第２結合手段が形成され，中孔型フィルター組立体が水桶栓本体の外側で結合されるとしても良い。
【０００７】
上記課題を解決するために，本発明の他の観点によれば，水桶栓本体のボスと結合される管体と，上記管体より大きい同心円上に形成される側壁と，排水孔を有する低壁と，を含み，フィルター部材が内蔵されるドーナツ状空間部が形成される下部ハウジングと；上記下部ハウジングの側壁と対応する側壁と，上記下部ハウジングの管体に対応し上記水桶栓本体のボスが貫通する貫通孔と，上記水桶栓本体の流路に通じる流路を有する円筒形嵌合部とを含む上部ハウジングと；を備えることを特徴とする，加湿器の水桶栓における中孔型フィルター組立体が提供される。
【０００８】
下部ハウジングの側壁上段部には，結合突起としての第３結合手段が形成され，上部ハウジングの側壁下段部には，スロットとしての第４結合手段が形成され，下部ハウジングと上部ハウジングが結合されるとしても良い。
【考案の効果】
【０００９】
以上説明したように本考案によれば，本考案のフィルター部材が内蔵されたフィルター組立体が加湿器水桶の底よりも低い所に位置するため，加湿器水桶に含まれた水の水位変動に拘わらず，フィルター部材全体を通過し，浄水効率が向上する。
【００１０】
また，フィルター組立体が水桶栓本体の外側で分離および組立できるように装着されるため，加湿器水桶に水桶栓本体が結合された状態でもフィルター組立体だけを別途に外して清掃または交替することができ，維持補修が容易となる。また，フィルター組立体が加湿器水桶に外装型に装着されるので，その分，加湿器水桶の容量を減らさず，水の供給周期を延長させることができる。
【考案を実施するための最良の形態】
【００１１】
以下に添付図面を参照しながら，本考案の好適な実施の形態について詳細に説明する。なお，本明細書および図面において，実質的に同一の機能構成を有する構成要素については，同一の符号を付することにより重複説明を省略する。
【００１２】
図１〜図３は，加湿器の水桶栓と浄水フィルターとの構成を説明する説明図である。本考案は，図１〜図３において示すように，水桶栓本体１６は，螺旋１０が内側に形成された外側壁１２と，この外側壁１２より小さい同心円上の内側壁１４とを有する。この水桶栓本体１６の中央部において，チェックバルブ１８を支持するボス２０とバルブシート２２との間に流路２４が形成される。
【００１３】
上記ボス２０の外側には，外部螺旋としての第１結合手段２６が形成される。また，上記ボス２０と上記内側壁１４との間に形成されるドーナツ状空間部２８には，ドーナツ状（中孔型）フィルター組立体３０が嵌合される。
【００１４】
ドーナツ状フィルター組立体３０は，フィルター部材３２が内蔵される下部ハウジング３４と，この下部ハウジング３４と結合される上部ハウジング３６とを含んで形成される。
【００１５】
下部ハウジング３４は，上記水桶栓本体１６のボス２０に形成される外部螺旋としての第１結合手段２６と締合される，内部螺旋としての第２結合手段３８が，内側に形成された管体４０と，この管体４０より大きい同心円上の側壁４２に形成される。
【００１６】
上記管体４０と側壁４２の下側が低壁４４と連結することによって，フィルター部材３２を内蔵することができるドーナツ状空間部４６が形成される。
【００１７】
下部ハウジング３４の低壁４４，および，上記側壁４２と低壁４４の間には，複数の排水孔４７が形成さる。
【００１８】
また，上記側壁４２の上段部には複数の，結合突起としての第３結合手段４８が形成される。
【００１９】
上部ハウジング３６は，上記下部ハウジング３４の側壁４２に対応する側壁５０と，上記水桶栓本体１６のボス２０が貫通する上壁５２を有し，上壁５２の中央部には上記下部ハウジング３４の管体４０に対応する円筒形嵌合部５４が形成されている。
【００２０】
円筒形嵌合部５４の低壁部５６の中央部には，上記ボス２０が貫通する貫通孔５８が形成され，円筒形嵌合部５４の側壁部６０には，上記水桶栓本体１６に形成されている流路２４と通じる流路６２が形成される。
【００２１】
そして，上記側壁５０の下段部には，上記下部ハウジング３４における結合突起としての第３結合手段４８が締合される，スロットとしての第４結合手段６６が形成される。
【００２２】
このような本考案の例示では，フィルター部材３２が中孔部６８を有する形態を挙げているが，本考案において，フィルター部材３２は，フィルター組立体３０の下部ハウジング３４に形成されているドーナツ状空間部４６に挿入可能なティーバッグ形態に形成されても良い。
【００２３】
図１〜図３に示したように，本考案は，フィルター組立体３０が，水桶栓本体１６の外側に形成されたドーナツ状空間部２８の中に挿入される。詳細には，フィルター組立体３０を水桶栓本体１６の外側からドーナツ状空間部２８の側に入れ，下部ハウジング３４の側壁４２と低壁４４の間に形成されている排水孔４７を取っ手として，フィルター部材３２が内蔵されたフィルター組立体３０の下部ハウジング３４をどちらか一方に回転させる。すると，図４に示されているように，水桶栓本体１６側ボス２０の外側に形成された外部螺旋としての第１結合手段２６と，フィルター組立体３０の下部ハウジング３４側管体４０の内側に形成された内部螺旋としての第２結合手段３８が噛み合いながら，水桶栓本体１６の外側に形成されたドーナツ状空間部２８の中にフィルター組立体３０が締め合わされる。
【００２４】
従って，本考案は図４に示されたように，加湿器水桶７０の注入口７２に，水桶栓本体１６が結合された状態で，加湿器水桶７０を加湿器本体７３の上に載せることができる。このとき，加湿器本体７３に突起部に押圧されチェックバルブ１８が開き，加湿器水桶７０に含まれた水７４が，水桶栓本体１６側流路２４と，フィルター組立体３０の上部ハウジング３６側流路６２を通して，フィルター組立体３０に内蔵されたフィルター部材３２の上方に流入される。水７４は，フィルター部材３２を通って濾過され，濾過された浄水がフィルター組立体３０の下部ハウジング３４にある排水孔４７を通して，図示されていない超音波振動子，または電気加熱器の方に向かう加湿器本体７３の流路７に供給される。
【００２５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００２６】
【図１】本考案による水桶栓と浄水フィルター組立体が分離した状態を示す縦断面図である。
【図２】図１で示された浄水フィルター組立体の斜視図である。
【図３】図２のＩ−Ｉ線断面図である。
【図４】本考案の実施形態による，水桶栓の外側に浄水フィルター組立体が結合された使用状態を示す縦断面図である。
【符号の説明】
【００２７】
１４  内側壁
１６  水桶栓本体
１８  チェックバルブ
２０  ボス
２２  バルブシート
２６  第１結合手段
２８  ドーナツ状空間部
３０  中孔型フィルター組立体
３２  フィルター部材
３４  下部ハウジング
３８  第２結合手段
４０  管体
４２  側壁
４４  低壁
４６  ドーナツ状空間部
４７  排水孔
４８  第３結合手段
５０  側壁
５４  円筒形嵌合部
５８  貫通孔
６６  第４結合手段
【図１】
0003113092.tif 000003
【図２】
0003113092.tif 000004
【図３】
0003113092.tif 000005
【図４】
0003113092.tif 000006